(57)【要約】【課題】暗号化された情報を分割した際に、分割された複数の情報を復号するための鍵情報を、データ量の増加を抑え、効率的に管理可能な情報記録・再生装置を提供する。【解決手段】コンテンツデータを暗号化して記録し、該コンテンツデータを復号して再生する情報記録再生装置において、前記コンテンツデータを復号するために必要な鍵情報１を保持する鍵情報保持体と、前記コンテンツデータの分割と、分割されたコンテンツデータを管理するための分割管理情報４の前記鍵情報保持体への保存とを行う分割管理手段とを備え、前記鍵情報１は、分割前の前記コンテンツデータを管理する管理情報２を含み、前記鍵情報保持体は、分割前の前記コンテンツデータに対する前記鍵情報１と、該鍵情報１内の前記管理情報２を上書きする前記分割管理情報４を複数保持するための分割情報パラメータフィールド４とから構成される。【選択図】図１
2008102635.tif 000002
【特許請求の範囲】
【請求項１】
コンテンツデータを暗号化して記録し、該コンテンツデータを復号して再生する情報記録再生装置において、
前記コンテンツデータを復号するために必要な鍵情報を保持する鍵情報保持体と、
前記コンテンツデータの分割と、
分割されたコンテンツデータを管理するための分割管理情報の前記鍵情報保持体への保存と
を行う分割管理手段と
を備え、
前記鍵情報は、
分割前の前記コンテンツデータを管理する管理情報を含み、
前記鍵情報保持体は、
分割前の前記コンテンツデータに対する前記鍵情報と、
該鍵情報内の前記管理情報を上書きする前記分割管理情報を複数保持するための分割情報パラメータフィールドと
から構成されることを特徴とする情報記録再生装置。
【請求項２】
前記分割管理手段は、
記録された前記コンテンツデータを分割する際、
分割による前記コンテンツデータの時間および再生位置情報の変更内容を、前記分割情報パラメータフィールドにセットする
ことを特徴とする請求項１に記載の情報記録再生装置。
【請求項３】
前記分割管理手段は、
前記分割されたコンテンツデータを再生する際、
該再生に使用する鍵情報を、
分割前の前記コンテンツデータに対する前記鍵情報の前記管理情報を該分割されたコンテンツデータに対応する前記分割管理情報により上書きすることにより生成する
ことを特徴とする請求項１に記載の情報記録再生装置。
【請求項４】
記録した前記コンテンツデータを分割し、前記分割情報パラメータフィールドに分割管理情報がセットされた際、前記鍵情報保持体がいくつの前記分割されたコンテンツデータから参照されているかの識別を行うための参照カウンタを備えていることを特徴とする請求項１に記載の情報記録再生装置。
【請求項５】
前記分割されたコンテンツデータを、ムーブ等の操作により、他の記録媒体または装置に移動する際、
前記参照カウンタのディクリメントを行い、その結果、前記参照カウンタが０になった場合は、前記鍵情報保持体を消去することを特徴とする請求項４に記載の情報記録再生装置。
【発明の詳細な説明】
【技術分野】
【０００１】
本発明は、放送番組などの映像・音声データを暗号化して記録、再生する情報記録・再生装置に関するものであり、より詳細には暗号化データの記録・再生を行う際の暗号化／復号鍵の管理に関するものである。
【背景技術】
【０００２】
ハードディスク（ＨＤＤ）や光メディアに代表される記録媒体の大容量化と読み取り及び書き込み処理の高速化とに伴い、近年、映像情報や音声情報をデジタルデータとして記録媒体に記録することが広く行われている。それらの情報は不正な利用を避けるために暗号化して記録されることが多い。
【０００３】
映像情報や音声情報は高速な転送が必要なため、その暗号化方式として高速な処理が可能な共通鍵暗号化が用いられることが多い。しかし、情報全体を単一の暗号化用情報を用いて暗号化した場合、その暗号化用情報が露見した場合に、情報全体が利用可能となってしまう。そのため、情報を短い部分に分けて、その区間毎に暗号化用情報を変更するのが好ましい。その場合、短い部分ごとに暗号化用情報をどのように変更していくかが課題となる。
【０００４】
この課題を解決するための情報記録再生装置が提案されている（例えば、特許文献１を参照）。特許文献１に記載の情報記録再生装置は、記録すべき情報を所定のデータ量毎に分割すると共に、所定のデータ量単位のそれぞれに連続的に変化する連続番号を付与する連続番号付与手段と、一つのライセンスで管理される範囲毎において共通の鍵系列発生用基数が設定され、この鍵系列発生用基数と所定のデータ量毎に変化する番号とに基づき生成される秘密に定義される関数から暗号鍵を生成する暗号化制御手段と、連続番号と、所定のデータ量単位内の各データが記録される先頭の論理アドレスとを関連付けて別の情報として格納する格納手段と、記録すべき情報を所定のデータ量よりも小さいデータ量の最小分割単位毎に、暗号化制御手段からの暗号鍵に基づきブロック暗号化を行う暗号化手段と、暗号化手段により暗号化された信号を記録媒体に記録すると共に、格納手段に格納された別の情報を記録する記録手段とを有する構成としている。ここでライセンスとは、映像・音声データを暗号化あるいは復号する際の鍵情報や、データの利用に関する条件が記述された映像・音声データを利用する際に必須となる管理情報である。
【０００５】
特許文献１に記載の情報記録再生装置では、記録すべき情報を暗号化するための暗号鍵を所定のデータ量毎に更新しているため、暗号鍵が露見した場合でも、その被害を最小限に止めることができる。
【０００６】
ここで、ハードディスクや光ディスク等はアクセスできる最小単位としてセクタという概念が存在し、セクタ単位に満たないデータを書き込む際にも、記録媒体上ではセクタサイズ分の領域が消費されることになる。セクタには識別用の数字、すなわち論理アドレスが割り振られ、書き込み／読み込みの際にアクセス位置情報として利用されている。
【特許文献１】特開２００３−１１５８３０号公報（2003年4月18日公開）
【発明の開示】
【発明が解決しようとする課題】
【０００７】
しかしながら、特許文献１に記載の情報記録再生装置では、一旦記録された暗号化データの分割は考慮されておらず、記録と再生しか考慮されていなかった。
【０００８】
図９に示すように、暗号化された番組データ９１は、その暗号化データに対応する鍵情報９２と関連付けられている。鍵情報は図７に示すような構造をしており、鍵情報本体７１の中に可変情報部分を持ち、暗号化されたデータ９１のどこからどこまでをこの鍵情報を使って復号を行っても良い、という情報が書き込まれている。
【０００９】
一旦記録された暗号化データの分割を行うには、暗号化データに関連付けられた鍵情報も操作する必要がある。図９に示すように、分割により二つに分かれた暗号化データ９３、９４に対して、各々の復号に必要な鍵情報Ａ９５および鍵情報Ｂ９６を、元となる鍵情報９２を複製することにより生成する。そして、鍵情報Ａ９５および鍵情報Ｂ９６の復号範囲情報を書き換え、新しい鍵情報Ａ９５および鍵情報Ｂ９６を作るという方法では、これまでひとつであった鍵情報が二つになり、仮に複数個所で分割が行われた場合、番組データは増えなくても、鍵情報だけが増えていき、記録領域を圧迫するという問題があった。
【００１０】
図８に示すように新しく作成される鍵情報Ａ、Ｂは、鍵情報のベースとなる部分８１、８２は基本的には同じ内容のものであり、各鍵が対応する暗号化データの復号範囲情報等、一部の可変情報部分８３、８４が異なるだけのものである。
【００１１】
本発明は、上述のごとき実情に鑑みてなされたものであり、情報を暗号化して記録媒体に記録／再生する装置において、暗号化された情報を分割した際に、分割された複数の情報を復号するための鍵情報を、データ量の増加を抑え、効率的に管理可能な情報記録・再生装置を提供することをその目的とする。
【課題を解決するための手段】
【００１２】
（１）本発明に係る情報記録再生装置は、上記課題を解決するために、コンテンツデータを暗号化して記録し、該コンテンツデータを復号して再生する情報記録再生装置において、前記コンテンツデータを復号するために必要な鍵情報を保持する鍵情報保持体と、前記コンテンツデータの分割と、分割されたコンテンツデータを管理するための分割管理情報の前記鍵情報保持体への保存とを行う分割管理手段とを備え、前記鍵情報は、分割前の前記コンテンツデータを管理する管理情報を含み、前記鍵情報保持体は、分割前の前記コンテンツデータに対する前記鍵情報と、該鍵情報内の前記管理情報を上書きする前記分割管理情報を複数保持するための分割情報パラメータフィールドとから構成されることを特徴とする。
【００１３】
上記の構成によれば、暗号化されて記録された番組データ（コンテンツデータ）を分割する際、分割後の番組データを復号するために必要となる鍵情報を、コンテンツ分割前の鍵情報のデータサイズと比較しデータサイズの増加を伴うことなく、生成することが可能となるという効果を奏する。
【００１４】
そして、鍵情報よりも小さい、分割したコンテンツデータ毎に変化する分割管理情報のみを、鍵情報とは別に保存するので、分割したコンテンツデータ毎に鍵情報保持体を生成する場合に比べ、コンテンツデータを分割した際の鍵情報保持体のデータ量の増加を抑えることが出来るという効果を奏する。
【００１５】
（２）本発明に係る情報記録再生装置は、上記の構成に加えて、前記分割管理手段は、記録された前記コンテンツデータを分割する際、分割による前記コンテンツデータの時間および再生位置情報の変更内容を、前記分割情報パラメータフィールドにセットすることを特徴とする。
【００１６】
上記の構成によれば、分割する際、分割によるコンテンツデータの時間および再生位置情報の変更内容を、分割情報パラメータフィールドにセットするので、分割されたコンテンツデータを読み出す際に、分割情報パラメータフィールドも読むことで、適切にコンテンツデータを再生することが出来るという効果を奏する。
【００１７】
（３）本発明に係る情報記録再生装置は、上記の構成に加えて、前記分割管理手段は、前記分割されたコンテンツデータを再生する際、該再生に使用する鍵情報を、分割前の前記コンテンツデータに対する前記鍵情報の前記管理情報を該分割されたコンテンツデータに対応する前記分割管理情報により上書きすることにより生成することを特徴とする。
【００１８】
上記構成によれば、分割前から変更を行っていない、分割前のコンテンツデータに対応する鍵情報と、分割処理毎に内容を更新した分割管理情報とを用いて、分割された個々のコンテンツデータに対応する鍵情報を生成するので、分割されたコンテンツデータを再生する際に、適切な鍵情報を用いて再生できるという効果を奏する。
【００１９】
（４）本発明に係る情報記録再生装置は、上記の構成に加えて、記録した前記コンテンツデータを分割し、前記分割情報パラメータフィールドに分割管理情報がセットされた際、前記鍵情報保持体がいくつの前記分割されたコンテンツデータから参照されているかの識別を行うための参照カウンタを備えていることを特徴とする。
【００２０】
上記の構成によれば、分割されたコンテンツデータをムーブする際、その鍵情報保持体がいくつの分割されたコンテンツデータにより利用されているのか把握できるので、適切に鍵情報およびライセンス管理が出来るという効果を奏する。
【００２１】
（５）本発明に係る情報記録再生装置は、上記の構成に加えて、分割されたコンテンツデータを、ムーブ等の操作により、他の記録媒体または装置に移動する際、前記参照カウンタのディクリメントを行い、その結果、前記参照カウンタが０になった場合に、前記鍵情報保持体を消去することを特徴とする。
【００２２】
上記構成によれば、分割されたコンテンツデータを移動する度に、参照カウンタをディクリメントし参照カウンタが０になった場合に鍵情報保持体を消去するので、鍵情報およびライセンスの適切な管理が行えるという効果を奏する。
【発明の効果】
【００２３】
本発明に係る情報記録再生装置は、以上のように、前記コンテンツデータを復号するために必要な鍵情報を保持する鍵情報保持体と、前記コンテンツデータの分割と、分割されたコンテンツデータを管理するための分割管理情報の前記鍵情報保持体への保存とを行う分割管理手段とを備え、前記鍵情報は、分割前の前記コンテンツデータを管理する管理情報を含み、前記鍵情報保持体は、分割前の前記コンテンツデータに対する前記鍵情報と、該鍵情報内の前記管理情報を上書きする前記分割管理情報を複数保持するための分割情報パラメータフィールドとから構成されることを特徴とする。
【００２４】
それ故、暗号化されて記録された番組データを分割する際、分割後の番組データを復号するために必要となる鍵情報を、分割前の鍵情報のデータサイズと比較しデータサイズの増加を伴うことなく、生成することが可能となるという効果を奏する。
【発明を実施するための最良の形態】
【００２５】
本発明の一実施形態について、図１から図６、および図１０に基づいて説明すると、以下の通りである。
【００２６】
本発明による情報記録・再生装置は、放送に限らず、外部から入力される番組データを記録媒体に記録する際、著作権保護の観点から番組データを一定のブロック毎に区切り、暗号化を行った上で、データを記録媒体へ記録する。それと同時に、暗号化されたデータを再生する際に必要となる鍵情報を、鍵情報格納領域に記録する。
【００２７】
図１０において、本発明による情報記録・再生装置が利用を想定するデータ記録媒体を示す。このデータ記録媒体は、通常の手続きで読み書きを行うことが出来るオープン領域１０１と、特殊なコマンドを使用してアクセス可能な保護された領域であるセキュア領域１０２とを持つ。
【００２８】
暗号化された番組データは、オープン領域１０１に書き込まれ、暗号化データを復号する際に必要な鍵情報は、セキュア領域１０２に書き込まれる。通常、セキュア領域１０２のサイズは、オープン領域１０１のサイズに比べ、かなり小さい領域である場合が多く、このセキュア領域１０２は効率よく使用することが望まれている。
【００２９】
ここで、本発明による情報記録・再生装置が使用する鍵情報は、図１に示す構造をしている。すなわち、鍵情報は、鍵情報本体１と、鍵情報本体１がいくつの暗号化データを復号する際に利用されるかを示す参照カウント（Ｒｅｆ  Ｃｏｕｎｔ）３と、さらに鍵情報が暗号化データのどの部分を復号する際に必要になるかが書かれた分割情報パラメータフィールド４とから構成される。分割情報パラメータフィールド４に設定された値は、鍵情報本体１内の可変情報部分２を置き換える際に利用される。
【００３０】
鍵情報を図１に示す構造とすることにより、以降で説明するように、暗号化されたデータを分割しても、分割された暗号化データを復号するための鍵情報を、データサイズの増加をさせることなく作成することが可能となる。
【００３１】
なお、図１ではデータ記録媒体へのデータの書き込み／読み込みの最小アクセス単位は５１２ｂｙｔｅであり、鍵情報本体１のデータサイズは３３８ｂｙｔｅであり、鍵情報本体１の内、暗号化データの位置や利用制限などを管理する可変情報のサイズは３８ｂｙｔｅであると仮定している。この場合、鍵情報に関する操作は、最小アクセス単位の中でのみ行われるので、鍵情報の操作によりデータ記録媒体上の鍵情報のサイズが変化することはない。図１はあくまでも例であり、各サイズはこの数値に限定されるものではない。
【００３２】
［実施の形態］
以下、本発明の実施の形態について図面を用いて詳細に説明する。
【００３３】
＜鍵情報管理部の構成について＞
図４は、本発明による情報記録・再生装置が暗号化データを扱うための鍵情報を管理する鍵情報管理部の構成図を示している。
【００３４】
本発明による情報記録・再生装置の鍵情報管理部は、鍵情報の入出力を行う鍵情報入／出力部４１、鍵情報入／出力部４１からの要求に応じて下位のモジュールを制御する鍵情報制御部４２、鍵情報本体１がいくつの暗号化データから使用されているかを管理する参照カウンタ(Ref Count)管理部４３、暗号化データの分割などにより変化する鍵情報の可変情報部分２を管理する分割情報管理部４４、オリジナルの鍵情報を管理する鍵情報本体管理部４５から構成される。
【００３５】
＜新規に番組データを暗号化し記録する際の鍵情報に関する処理ついて＞
図２は、本発明による情報記録・再生装置が外部から入力される番組データを暗号化して記録するときに、セキュア領域１０２に書き込まれる鍵情報を表している。
【００３６】
外部から入力された番組データを暗号化して、その鍵情報をセキュア領域１０２に記録する場合、鍵情報入／出力部４１は、鍵情報制御部４２に対して、これから記録する鍵情報が新規記録によるものであることを通知する。それを受けて鍵情報制御部４２は、参照カウンタ管理部４３に対し、参照カウンタ２２に０をセットするよう通知し、さらに分割情報管理部４４に全ての分割情報パラメータフィールド２３にｉｎｖａｌｉｄフラグを設定するよう通知する。また、鍵情報本体管理部４５は受け取った鍵情報をそのまま鍵情報本体２１に記録する。
【００３７】
＜記録済の暗号化データを分割した際の鍵情報に関する処理ついて＞
次に、図３は、本発明による情報記録・再生装置が既に記録されている暗号化データを分割したときに、セキュア領域１０２に書き込まれる鍵情報を表している。
【００３８】
既に記録されている暗号化データを分割する場合、鍵情報制御部は４２は、鍵情報入／出力部４１から分割地点に関する情報を受け取る。
【００３９】
分割地点の情報を受け取った鍵情報制御部４２は、分割情報管理部４４に、受け取ったパラメータ（分割地点の情報など）を書き込むための分割情報パラメータフィールドが２つ以上、現在の鍵情報において空いているか否かの確認を行う。
【００４０】
空きが無い場合は、従来通り、新たに鍵情報の作成を行う。
【００４１】
空きが有る場合は、受け取った分割地点に関する情報およびその他付随する情報を、分割情報パラメータフィールドにセットするよう、分割情報管理部４４に要求する。それを受け、分割情報管理部４４は、分割情報パラメータフィールド３３、３４に、受け取った分割地点に関する情報をセットする。
【００４２】
さらに、鍵情報制御部４２は、参照カウンタ管理部４３に対して、参照カウンタ３２の値を＋２するよう、指示する。
【００４３】
これらの操作により、図３に示す鍵情報は、コンテンツ（暗号化データ）分割前の鍵情報と同一サイズのままで、分割された二つの暗号化データに対応する鍵情報を有することが出来る。
【００４４】
図５は、以上で説明した暗号化されたコンテンツを分割する際の鍵情報の作成手順を、フローチャートにより示したものである。
【００４５】
＜鍵情報読み出し時の動作について＞
次に、上記手法により作成された鍵情報を読み出す際の動作について説明する。
【００４６】
暗号化データを復号し再生する場合、あるいは暗号化データを他の記録媒体へ移動（ムーブ）する場合など、暗号化データとともに、その暗号化データに対応する鍵情報を読み出す必要がある。
【００４７】
図６は、本発明による情報記録・再生装置が、鍵情報を読み出す際の動作手順について説明したフローチャートである。
【００４８】
鍵情報を読み出す場合、鍵情報制御部４２は、まず参照カウンタの値のチェックを行う。
【００４９】
この値が０の場合、暗号化データの分割による鍵情報の操作は一切行われていないことを意味するので、記録されている鍵情報の本体部のデータをそのまま読み出す。暗号化データのムーブ動作により鍵情報の読み出しが行われた場合など、必要に応じてセキュア領域１０２内に記録されている鍵情報の削除を行う。
【００５０】
参照カウンタの値が０でない場合、鍵情報の読み出し要求時に、鍵情報入／出力部４１から鍵情報制御部４２に対し、どの分割情報パラメータフィールドに対応する鍵情報を読み出すかの指定がなされる。鍵情報制御部４２は、分割情報管理部４４に対して、指定された分割情報パラメータフィールドのデータを要求し、また、鍵情報本体管理部４５からオリジナルの鍵情報を読み出し、分割情報管理部４４から読み出した値で必要な情報（可変情報）を上書きし、その結果を鍵情報入／出力部４１へ渡す。
【００５１】
鍵情報制御部４２は、鍵情報を読み出したあと、分割情報管理部４４に対し、先ほど読み出した分割情報パラメータフィールドのアップデートもしくは必要に応じてｉｎｖａｌｉｄ化を指示する。また、分割情報パラメータフィールドをｉｎｖａｌｉｄ化した場合には、参照カウンタ管理部４３に、参照カウンタの値を−１するよう、指示する。分割情報パラメータフィールドがｉｎｖａｌｉｄ化されるのは、暗号化データのムーブ等の読み出し要求により、本情報記録・再生装置が、当該暗号化データの復号権利を失う場合である。
【００５２】
最後に、参照カウンタの減算により、参照カウンタが０になった場合には、分割情報パラメータフィールドだけではなく鍵情報全体の削除を行う。
【００５３】
＜補足事項＞
なお、本願の発明では、暗号化データを１回分割すると、分割された暗号化データの前半部分を管理するために一つ、後半部分を管理するために一つと、合計二つの分割情報パラメータフィールドを消費する。従って、本実施の形態の例では、２分割までは、鍵情報のサイズは増加しない。そして、３分割以上行う場合は、本実施の形態の例では、鍵情報を別途複製せざるを得なくなる。
【００５４】
しかしながら、実際のところ、コンテンツの著作権を確実に守るとの思想から、一つの鍵情報で対応する期間は、コンテンツの再生時間にして１分が望ましい。(鍵が破られたとしても、被害を被る期間は高々１分間に押さえれる。)
この１分間のコンテンツを、仮に等間隔で２回分割した場合、一つのコンテンツあたりの再生時間は２０秒ということになり、現実的には、十分実用的な編集単位であると言える。
【００５５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００５６】
最後に、情報記録・再生装置の各ブロック、特に鍵情報入／出力部４１、鍵情報制御部４２、参照カウンタ(Ref Count)管理部４３、分割情報管理部４４、および鍵情報本体管理部４５は、ハードウェアロジックによって構成してもよいし、次のようにＣＰＵを用いてソフトウェアによって実現してもよい。
【００５７】
すなわち、情報記録・再生装置は、各機能を実現する制御プログラムの命令を実行するＣＰＵ（central  processing  unit）、上記プログラムを格納したＲＯＭ（read  only  memory）、上記プログラムを展開するＲＡＭ（random  access  memory）、上記プログラムおよび各種データを格納するメモリ等の記憶装置（記録媒体）などを備えている。そして、本発明の目的は、上述した機能を実現するソフトウェアである情報記録・再生装置の制御プログラムのプログラムコード（実行形式プログラム、中間コードプログラム、ソースプログラム）をコンピュータで読み取り可能に記録した記録媒体を、上記情報記録・再生装置に供給し、そのコンピュータ（またはＣＰＵやＭＰＵ）が記録媒体に記録されているプログラムコードを読み出し実行することによっても、達成可能である。
【００５８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５９】
また、情報記録・再生装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual  private  network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモートコントロール装置のような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００６０】
暗号化されて記録された番組データを分割する際、分割後の番組データを復号するために必要となる鍵情報を、分割前の鍵情報のデータサイズと比較しデータサイズの増加を伴うことなく、生成することが可能となるので、コンテンツデータを記録および再生する情報記録姿勢装置に広汎に適用できる。
【図面の簡単な説明】
【００６１】
【図１】本発明による情報記録・再生装置が使用する鍵情報示す図である。
【図２】本発明による情報記録・再生装置で初めて暗号化データを記録する際に作成される鍵情報を示す図である。
【図３】本発明による情報記録・再生装置で記録されている暗号化データを分割した際に作成される鍵情報を示す図である。
【図４】本発明による情報記録・再生装置の鍵情報の管理部を構成するブロック図である。
【図５】本発明による情報記録・再生装置において、暗号化データの分割時に鍵情報管理部の動作フローを示すフローチャートである。
【図６】本発明による情報記録・再生装置が暗号化データの再生を行う際の鍵情報管理部の動作フローを示すフローチャートである。
【図７】従来の情報記録・再生装置が使用する鍵情報を示す図である。
【図８】従来の情報記録・再生装置において暗号化データの分割を行った際に作成される鍵情報を示す図である。
【図９】暗号化されたデータと対応する鍵情報の関係を示す図である。
【図１０】暗号化されたデータと鍵情報が記録媒体にどのように格納されるかを示す図である。
【符号の説明】
【００６２】
１      鍵情報の本体
２      鍵情報の内、暗号化データの状態に応じた可変データが書かれる部分
３      鍵情報本体が何回使用されるかを示す参照カウンタ
４      鍵情報の内の可変データ部の実体データ
２１    鍵情報の本体
２２    鍵情報本体が何回使用されるかを示す参照カウンタ
２３    鍵情報の内の可変データ部の実体データ
３１    鍵情報の本体
３２    鍵情報本体が何回使用されるかを示す参照カウンタ
３３    鍵情報の内の可変データ部の実体データＡ
３４    鍵情報の内の可変データ部の実体データＢ
４１    鍵データ入／出力部
４２    鍵情報制御部
４３    参照カウンタ管理部
４４    分割情報管理部
４５    鍵情報本体管理部
７１    鍵情報の本体
８１    鍵情報Ａ
８２    鍵情報Ｂ
８３    分割後の可変情報部
８４    分割後の可変情報部
９１    分割前の暗号化されたデータ
９２    ９１を復号するための鍵情報
９３    分割後の暗号化されたデータ
９４    分割後の暗号化されたデータ
９５    ９３を復号するための鍵情報
９６    ９４を復号するための鍵情報
１０１  暗号化されたデータを書き込むオープン領域
１０２  鍵情報を書き込むセキュア領域
【図４】
2008102635.tif 000003
【図５】
2008102635.tif 000004
【図６】
2008102635.tif 000005
【図９】
2008102635.tif 000006
【図１０】
2008102635.tif 000007
【図１】
2008102635.tif 000008
【図２】
2008102635.tif 000009
【図３】
2008102635.tif 000010
【図７】
2008102635.tif 000011
【図８】
2008102635.tif 000012